(57)【要約】  【課題】  高温試験を行っても変形しないトレイパネルを備えた情報記録再生装置を提供する。  【解決手段】  トレイ駆動機構９の駆動によってディスクトレイ８が装置本体より送出する方向に移動すると、ディスクトレイ８に設けられたラック状ギヤ７が移動し、ラック状ギヤ７に噛み合ったピニオンギヤ６が回転する。ピニオンギヤ６が回転すると、トレイパネル５が開かれ、ディスクトレイ８が装置本体の外側の所定位置まで導かれる。また、ディスクトレイ８が装置本体に収納されるときは、ディスクトレイ８が装置本体へ収納される方向に移動し、これにより、ピニオンギヤ６が逆回転し、トレイパネル５が閉じられる。このようなトレイパネル５は、ばねを使用していないので、装置の高温試験を行っても変形することがない。【選択図】      図１
2005302175.tif 000002
【特許請求の範囲】
【請求項１】
装置本体の前面に設けられたフロントパネルと、該フロントパネルの所定箇所に設けら
れ装置本体に対してディスクトレイが出し入れされる挿入口と、前記ディスクトレイの移
動動作に連動させて前記挿入口の開閉を行うトレイパネルとを有する情報記録再生装置に
おいて、前記ディスクトレイの移動方向に沿った両端辺にそれぞれ設けられたラック状ギ
ヤと、前記トレイパネルの両端付近にそれぞれ形成された支持レバーの回動軸間に連結さ
れたシャフトと、前記ラック状ギヤが噛み合うように前記シャフトに設けられたピニオン
ギヤとを備え、前記ディスクトレイの移動によって前記ラック状ギヤが前記ピニオンギヤ
を回転させることにより、前記トレイパネルを開閉動作させるように構成したことを特徴
とする情報記録再生装置。
【請求項２】
装置本体の前面に設けられたフロントパネルと、該フロントパネルの所定箇所に設けら
れ装置本体に対してディスクトレイが出し入れされる挿入口と、前記ディスクトレイの移
動動作に連動させて前記挿入口の開閉を行うトレイパネルとを有する情報記録再生装置に
おいて、前記ディスクトレイの移動を前記トレイパネルの支持レバーの回動軸に対する回
転運動に変えるギヤ機構を設け、該ギヤ機構によって前記トレイパネルを開閉動作させる
ように構成したことを特徴とする情報記録再生装置。
【請求項３】
前記ギヤ機構は、前記ディスクトレイの移動方向に沿った両端辺にそれぞれ設けられた
ラック状ギヤと、前記トレイパネルの両端付近にそれぞれ形成された支持レバーの回動軸
間に連結されたシャフトと、前記ラック状ギヤが噛み合うよう前記シャフトに設けられた
ピニオンギヤとから構成されたことを特徴とする請求項２に記載の情報記録再生装置。
【発明の詳細な説明】
【技術分野】
【０００１】
本発明は、記録媒体に情報を記録したり、記録媒体に記録された情報を再生したりする
情報記録再生装置に関し、特に、記録媒体としての光ディスクが載置されるディスクトレ
イの移動動作に連動させて挿入口の開閉を行うトレイパネルの開閉機構に関する。
【背景技術】
【０００２】
この種の情報記録再生装置は、装置本体の前面に設けられたフロントパネルと、該フロ
ントパネルの所定箇所に設けられ装置本体に対してディスクトレイが出し入れされる挿入
口と、前記ディスクトレイの移動動作に連動させて前記挿入口の開閉を行うトレイパネル
とを有している。図５は、この種の情報記録再生装置の概略的な外観を示す斜視図である
。
【０００３】
図５において、５１は装置本体の大部分を構成するシャーシカバーを示し、このシャー
シカバー５１の内部には、装置本体の主要部を構成するシャーシが収容されている。そし
て、そのシャーシの前面にフロントパネル５２が取り付けられている。５３はフロントパ
ネル５２の所定箇所に設けられ装置本体に対してディスクトレイが出し入れされる挿入口
を示し、５４は前記ディスクトレイの移動動作に連動させて挿入口５３の開閉を行うトレ
イパネルを示す。
【０００４】
図６は従来のフロントパネルおよびその開閉機構の概略的な背面図である。図６におい
て、５５はフロントパネル５２の裏面に形成された一方のレバー軸受けを示し、５７はト
レイパネル５４を支持する一方の支持レバーを示し、この支持レバー５７の先端部には一
方の支軸５６が形成されている。この支軸５６はレバー軸受け５５に回動自在に嵌め込ま
れている。また、５９はフロントパネル５２の裏面に形成された他方のレバー軸受けを示
し、５８はトレイパネル５４を支持する他方の支持レバーを示し、この支持レバー５８の
先端部には他方の支軸６０が形成されている。この支軸６０はレバー軸受け５９に回動自
在に嵌め込まれている。また、支軸６０には、ばね６１が装着されており、支軸５６，６
０を中心にトレイパネル５４を閉める方向に付勢している。
【特許文献１】特開平７−７８４６１号公報
【特許文献２】特開昭６１−１０７５６３号公報
【発明の開示】
【発明が解決しようとする課題】
【０００５】
ところで、工場などにおいては、情報記録再生装置の高温試験が行われるが、トレイパ
ネル５４がプラスチックで形成されているので、高温で変形する場合がある。その理由は
、支軸５６，６０を中心にトレイパネル５４を閉める方向に付勢できるように、ばね６１
を縮めた状態で支軸６０に装着しており、これにより、常にばね６１が伸張しようとして
、矢印の方向に力が作用する。したがって、情報記録再生装置の高温試験ではトレイパネ
ル５４が変形を起こし、開閉が正常にできなくなる場合が生じる。
【０００６】
なお、特許文献１の従来技術は、パネル部の蓋カバーを上下にスライドさせる機構に関
するものであり、ディスクトレイの移動動作に連動して蓋カバーを開閉させる機構に関す
るものではない。また、特許文献２の従来技術は、ディスクカートリッジによって観音開
き状に押し開かれるように構成された一対の開閉蓋の開閉機構に関するものであり、１枚
の開閉蓋をディスクトレイの移動動作に連動して開閉させる機構に関するものではない。
【０００７】
本発明は、上記のような課題を解決するためになされたもので、高温試験を行っても変
形しないトレイパネルを備えた情報記録再生装置を提供することを目的とする。
【課題を解決するための手段】
【０００８】
上記目的を達成するために、請求項１の発明は、装置本体の前面に設けられたフロント
パネルと、該フロントパネルの所定箇所に設けられ装置本体に対してディスクトレイが出
し入れされる挿入口と、前記ディスクトレイの移動動作に連動させて前記挿入口の開閉を
行うトレイパネルとを有する情報記録再生装置において、前記ディスクトレイの移動方向
に沿った両端辺にそれぞれ設けられたラック状ギヤと、前記トレイパネルの両端付近にそ
れぞれ形成された支持レバーの回動軸間に連結されたシャフトと、前記ラック状ギヤが噛
み合うように前記シャフトに設けられたピニオンギヤとを備え、前記ディスクトレイの移
動によって前記ラック状ギヤが前記ピニオンギヤを回転させることにより、前記トレイパ
ネルを開閉動作させるように構成したことを特徴とする情報記録再生装置を提供する。
【０００９】
この構成において、ディスクトレイが装置本体より送出する方向に移動すると、これに
伴ってディスクトレイに設けられたラック状ギヤが移動し、このラック状ギヤに噛み合っ
たピニオンギヤが回転する。ピニオンギヤが回転すると、トレイパネルが開かれ、ディス
クトレイが装置本体の外側の所定位置まで導かれる。また、ディスクトレイが装置本体に
収納されるときは、ディスクトレイが装置本体へ収納される方向に移動し、これにより、
ピニオンギヤが逆回転し、トレイパネルが閉じられる。
【００１０】
この構成によれば、トレイパネルは、ディスクトレイに設けられたラック状ギヤの移動
により回転するピニオンギヤにより開閉するので、トレイパネルおよびディスクトレイは
磨耗せず、また、ばねを使用せずにトレイパネルを閉じることができる。したがって、こ
のようなトレイパネルは、装置の高温試験を行っても変形することがないので、品質の高
い情報記録再生装置を提供できる。
【００１１】
請求項２の発明は、装置本体の前面に設けられたフロントパネルと、該フロントパネル
の所定箇所に設けられ装置本体に対してディスクトレイが出し入れされる挿入口と、前記
ディスクトレイの移動動作に連動させて前記挿入口の開閉を行うトレイパネルとを有する
情報記録再生装置において、前記ディスクトレイの移動を前記トレイパネルの支持レバー
の回動軸に対する回転運動に変えるギヤ機構を設け、該ギヤ機構によって前記トレイパネ
ルを開閉動作させるように構成したことを特徴とする情報記録再生装置を提供する。
【００１２】
この構成において、ディスクトレイが装置本体より送出する方向に移動すると、ギヤ機
構によってトレイパネルの支持レバーの回動軸が回動し、これによりトレイパネルが開か
れ、ディスクトレイが装置本体の外側の所定位置まで導かれる。また、ディスクトレイが
装置本体に収納されるときは、ディスクトレイが装置本体へ収納される方向に移動し、ギ
ヤ機構によってトレイパネルの支持レバーの回動軸が逆方向に回動され、これにより、ト
レイパネルが閉じられる。
【００１３】
この構成によれば、トレイパネルは、ディスクトレイの移動を回転運動として伝達する
ギヤ機構の作用により開閉するので、トレイパネルおよびディスクトレイは磨耗せず、ま
た、ばねを使用せずにトレイパネルを閉じることができる。したがって、このようなトレ
イパネルは、装置の高温試験を行っても変形することがないので、品質の高い情報記録再
生装置を提供できる。
【００１４】
請求項３の発明では、請求項２の発明において、ギヤ機構は、ディスクトレイの移動方
向に沿った両端辺にそれぞれ設けられたラック状ギヤと、トレイパネルの両端付近にそれ
ぞれ形成された支持レバーの回動軸間に連結されたシャフトと、ラック状ギヤが噛み合う
ようシャフトに設けられたピニオンギヤとから構成されたので、ディスクトレイの移動が
トレイパネルの支持レバーの回動に変えることが可能になり、トレイパネルを開閉させる
ことができるようになる。
【発明の効果】
【００１５】
以上のように本発明によれば、ディスクトレイの移動方向に沿った両端辺にそれぞれ設
けられたラック状ギヤと、トレイパネルの両端付近にそれぞれ形成された支持レバーの回
動軸間に連結されたシャフトと、ラック状ギヤが噛み合うようにシャフトに設けられたピ
ニオンギヤとを備え、ディスクトレイの移動によってラック状ギヤがピニオンギヤを回転
させることにより、トレイパネルを開閉動作させるように構成したので、トレイパネルを
、ディスクトレイに設けられたラック状ギヤの移動により回転するピニオンギヤにより開
閉させることができ、トレイパネルおよびディスクトレイは磨耗せず、また、ばねを使用
せずにトレイパネルを閉じることができる。したがって、このようなトレイパネルは、装
置の高温試験を行っても変形することがないので、品質の高い情報記録再生装置を提供で
きる。
【００１６】
また、本発明によれば、ディスクトレイの移動をトレイパネルの支持レバーの回動軸に
対する回転運動に変えるギヤ機構を設け、該ギヤ機構によってトレイパネルを開閉動作さ
せるように構成したので、トレイパネルを、ディスクトレイの移動を回転運動として伝達
するギヤ機構の作用により開閉させることができ、トレイパネルおよびディスクトレイは
磨耗せず、また、ばねを使用せずにトレイパネルを閉じることができる。したがって、こ
のようなトレイパネルは、装置の高温試験を行っても変形することがないので、品質の高
い情報記録再生装置を提供できる。
【発明を実施するための最良の形態】
【００１７】
以下、添付図面を参照しつつ、本発明の実施の形態について説明する。図１は本発明の
一実施形態に係る情報記録再生装置においてトレイパネルが閉じている状態を示すフロン
トパネルの概略的な側断面図である。図２は図１中のディスクトレイを裏面から見た概略
的な平面図である。図３は図１中のトレイパネルおよびその開閉機構の概略的な背面図で
ある。図４は図１中のトレイパネルが開いている状態を示すフロントパネルの概略的な側
断面図である。なお、情報記録再生装置の外観は図５で説明したので、ここでは説明を省
略する。
【００１８】
この図１〜図４において、１は装置本体の前面に取り付けられるフロントパネルを示し
、２はフロントパネル１の所定箇所に設けられ装置本体に対してディスクトレイ８が出し
入れされる挿入口を示す。３（３ａ，３ｂ）はトレイパネル５を支持する支持レバーを示
し、支持レバー３ａの先端部には支軸３０が形成され、この支軸３０はレバー軸受け３１
に回動自在に嵌め込まれている。支持レバー３ｂの先端部には支軸３３が形成され、この
支軸３３はレバー軸受け３２に回動自在に嵌め込まれている。また、支持レバー３ａの先
端部と支持レバー３ｂの先端部とはシャフト４により連結されている。シャフト４の左右
両端部付近には、ディスクトレイ８の移動方向に沿った両端辺にそれぞれ設けられたラッ
ク状ギヤ７（７ａ，７ｂ）と噛み合うようにピニオンギヤ６（６ａ，６ｂ）が取り付けら
れている。
【００１９】
なお、支持レバー３（３ａ，３ｂ）、支軸３０，３３、シャフト４、およびピニオンギ
ヤ６（６ａ，６ｂ）が全てプラスチックで形成する場合は、トレイパネル５の成型時に同
時に形成することが可能である。
【００２０】
以上の構成において、例えば、図４に示すように、トレイ駆動機構９の駆動によってデ
ィスクトレイ８が装置本体より送出する方向に移動すると、これに伴ってディスクトレイ
８に設けられたラック状ギヤ７が移動し、このラック状ギヤ７に噛み合ったピニオンギヤ
６が回転する。ピニオンギヤ６が回転すると、トレイパネル５が開かれ、ディスクトレイ
８が装置本体の外側の所定位置まで導かれる。また、ディスクトレイ８が装置本体に収納
されるときは、ディスクトレイ８が装置本体へ収納される方向に移動し、これにより、ピ
ニオンギヤ６が逆回転し、トレイパネル５が閉じられる。
【００２１】
なお、本実施形態の情報記録再生装置では、光ディスクのみを装填できるものを示した
が、光ディスクおよびビデオカセットテープを装填できる構成のものでも良い。この場合
は、ビデオカセットテープを装置本体に挿入する際に開かれる扉が別に設けられるが、こ
の扉はユーザがビデオカセットテープを装置本体に出し入れする際に開閉するだけなので
、光ディスクに対するようなトレイパネルの構造を必要としない。
【００２２】
以上のように本実施形態によれば、トレイパネル５は、ディスクトレイ８に設けられた
ラック状ギヤ７の移動により回転するピニオンギヤ６により開閉するので、トレイパネル
５およびディスクトレイ６は磨耗せず、また、ばねを使用せずにトレイパネル５を閉じる
ことができる。したがって、このようなトレイパネル５は、装置の高温試験を行っても変
形することがないので、品質の高い情報記録再生装置を提供できる。
【図面の簡単な説明】
【００２３】
【図１】本発明の一実施形態に係る情報記録再生装置においてトレイパネルが閉じている状態を示すフロントパネルの概略的な側断面図である。
【図２】図１中のディスクトレイを裏面から見た概略的な平面図である。
【図３】図１中のトレイパネルおよびその開閉機構の概略的な背面図である。
【図４】図１中のトレイパネルが開いている状態を示すフロントパネルの概略的な側断面図である。
【図５】この種の情報記録再生装置の概略的な外観を示す斜視図である。
【図６】従来のトレイパネルおよびその開閉機構の概略的な背面図である。
【符号の説明】
【００２４】
１    フロントパネル
２    挿入口
３，３ａ，３ｂ    支持レバー
４    シャフト
５    トレイパネル
６，６ａ，６ｂ    ピニオンギヤ
７，７ａ，７ｂ    ラック状ギヤ
８    ディスクトレイ
３０，３３    支軸（支持レバーの回動軸）
【図１】
2005302175.tif 000003
【図２】
2005302175.tif 000004
【図３】
2005302175.tif 000005
【図４】
2005302175.tif 000006
【図５】
2005302175.tif 000007
【図６】
2005302175.tif 000008